(57)【要約】  【課題】  筐体内で発生する騒音が筐体外に漏出するのを防止して環境負荷を低減することができる自動原稿搬送装置、画像読取装置および画像形成装置を提供すること。  【解決手段】  ＡＤＦ４は、本体４ａと、本体４ａに設けられた原稿の給紙口２５および排紙口２６と、給紙口２５および排紙口２６にそれぞれ設けられたピックアップローラ６および排紙ローラ対１３と、本体４ａに設けられた通気孔と、本体４ａを開閉する外装カバーと、本体４ａ内を気密状態に維持するシール部材とを備え、給紙口２５および排紙口２６に設けられたピックアップローラ６および排紙ローラ対１３と給紙口２５および排紙口２６との間に形成される隙間にシール部材２７、２８が設けられるとともに、通気孔と、外装カバーと本体４ａの間とにシール部材が設けられる。【選択図】  図１
2006193289.tif 000002
【特許請求の範囲】
【請求項１】
給紙した原稿を読取位置に搬送した後、排紙する自動原稿搬送装置において、
筐体と、
前記筐体に設けられた原稿の給紙口および排紙口と、
前記給紙口および排紙口にそれぞれ設けられた搬送部材と、
前記筐体に設けられた通気孔と、
前記筐体を開閉する外装カバーと、
前記筐体内を気密状態に維持するシール部材とを備え、
前記シール部材は、前記搬送部材と前記給紙口および排紙口との間に形成される隙間と、前記通気孔と、前記外装カバーと前記筐体の間とに設けられることを特徴とする自動原稿搬送装置。
【請求項２】
前記給紙口に連通するとともに原稿が載置される給紙トレイと、
前記排紙口から排紙される原稿が載置される排紙トレイと、前記給紙口、前記排紙口、前記給紙トレイおよび前記排紙トレイを覆うカバーとを備えたことを特徴とする請求項１に記載の自動原稿搬送装置。
【請求項３】
前記筐体内と外部との間で熱交換を行う熱交換手段を備えたことを特徴とする請求項１または請求項２に記載の自動原稿搬送装置。
【請求項４】
前記筐体の少なくとも一部を放熱鋼板から構成したことを特徴とする請求項１〜請求項３の何れか１項に記載の自動原稿搬送装置。
【請求項５】
除湿手段を有することを特徴とする請求項１〜請求項４の何れか１項に記載の自動原稿搬送装置。
【請求項６】
前記除湿手段がゼオライトフィルターからなることを特徴とする請求項５に記載の自動原稿搬送装置。
【請求項７】
前記カバーは、前記給紙口および給紙トレイと、前記排紙口および排紙トレイとにおいて独立して設けられることを特徴とする請求項２〜請求項６の何れか１項に記載の自動原稿搬送装置。
【請求項８】
前記カバーが透明部材からなることを特徴とする請求項２〜請求項７の何れか１項に記載の自動原稿搬送装置。
【請求項９】
前記カバーを開閉するときの補助動作を行う補助手段を有することを特徴とする請求項２〜請求項８の何れか１項に記載の自動原稿搬送装置。
【請求項１０】
前記カバーを自動的に開閉する自動開閉手段を備えたことを特徴とする請求項２〜請求項８の何れか１項に記載の自動原稿搬送装置。
【請求項１１】
認証手段を有し、前記認証手段によって認証を行った後、前記カバーを開放することを特徴とする請求項１〜請求項１０の何れか１項に記載の自動原稿搬送装置。
【請求項１２】
請求項１〜請求項１１の何れか１項に記載の自動原稿搬送装置を搭載するとともに、原稿を読取る画像読取手段を備えたことを特徴とする画像読取装置。
【請求項１３】
前記自動原稿搬送装置との連結部分にシール部材が設けられたことを特徴とする請求項１２に記載の画像読取装置。
【請求項１４】
請求項１２または請求項１３に記載の画像読取装置を搭載するとともに、記録媒体に画像を形成する画像形成手段を備えたことを特徴とする画像形成装置。
【発明の詳細な説明】
【技術分野】
【０００１】
本発明は、自動原稿搬送装置、画像読取装置および画像形成装置に関し、例えば、自動原稿搬送装置の筐体から騒音が漏出するのを防止するようにした自動原稿搬送装置、画像読取装置および画像形成装置に関する。
【背景技術】
【０００２】
電子写真方式を採用した画像形成装置に搭載された自動原稿搬送装置にあっては、複数枚の原稿を給紙トレイに積載して給紙動作を開始すると、原稿がピックアップローラにより送り出された後、搬送分離機能を持つ給紙ローラによって一枚一枚分離されながら送られ、次いで、原稿は装置内部の幾つかのローラによって搬送されながらイメージセンサによって原稿面が読取られた後、排紙ローラによって排紙トレイに排紙される。
【０００３】
ところが、原稿の搬送中にあっては、自動原稿搬送装置の内部で「ウィーン」という高周波な制御音や「ガラガラ」といった幾つかのローラの駆動音、「シュルシュル」という原稿同士、あるいは原稿と原稿を案内するガイド等との摺動音が発生し、これらの音は、自動原稿搬送装置の隙間、通気孔等から装置外に漏洩し、騒音として環境負荷の要因となってしまう。
【０００４】
このような騒音の漏出を防止するものとしては、原稿にエアを吹き付けて分離するエア噴射装置からのエアと、分離された原稿を吸引して搬送するバキューム給送装置のエアを原稿の積載量により調節し、そのエアにより発生する騒音を自動原稿搬送装置内に設けた共鳴空間および共鳴通路を有する共鳴器により共鳴させ、かつ共鳴器の形状を調節手段により周波数に対応させて調整することにより、エアの低騒音化を図るようにしたものがある（例えば、特許文献１参照）。
【０００５】
【特許文献１】特開平９−５０１５２号公報
【発明の開示】
【発明が解決しようとする課題】
【０００６】
しかしながら、このような従来の自動原稿搬送装置にあっては、ヘルムホルツ型共鳴管を設けることにより自動原稿搬送装置の内部で騒音を低減させるようにしたものであるが、自動原稿搬送装置の内部で発生する騒音を自動原稿搬送装置の隙間、通気孔等から装置外に漏洩するのを十分に防止することができず、未だ改善の余地がある。
【０００７】
本発明はこのような問題を解決するためになされたもので、筐体内で発生する騒音が筐体外に漏出するのを防止して環境負荷を低減することができる自動原稿搬送装置、画像読取装置および画像形成装置を提供するものである。
【課題を解決するための手段】
【０００８】
本発明の自動原稿搬送装置は、給紙した原稿を読取位置に搬送した後、排紙する自動原稿搬送装置において、筐体と、前記筐体に設けられた原稿の給紙口および排紙口と、前記給紙口および排紙口にそれぞれ設けられた搬送部材と、前記筐体に設けられた通気孔と、前記筐体を開閉する外装カバーと、前記筐体内を気密状態に維持するシール部材とを備え、前記シール部材は、前記搬送部材と前記給紙口および排紙口との間に形成される隙間と、前記通気孔と、前記外装カバーと前記筐体の間とに設けられるものから構成される。
【０００９】
この構成により、自動原稿搬送装置の筐体に形成された給紙口および排紙口と搬送部材の隙間、通気孔、外装カバーと筐体との間をシール部材によってシールすることにより、筐体内を気密状態に維持することができ、筐体内で発生する騒音が筐体外に漏出するのを防止して環境負荷を低減することができる。
【００１０】
また、本発明の自動原稿搬送装置は、前記給紙口に連通するとともに原稿が載置される給紙トレイと、前記排紙口から排紙される原稿が載置される排紙トレイと、前記給紙口、前記排紙口、前記給紙トレイおよび前記排紙トレイを覆うカバーとを備えたものから構成される。
【００１１】
この構成により、給紙口、排紙口、給紙トレイおよび排紙トレイをカバーで覆うので、筐体内で発生する騒音が筐体外に漏出するのをより一層防止することができ、環境負荷をより一層低減することができる。  
【００１２】
また、本発明の自動原稿搬送装置は、前記筐体内と外部との間で熱交換を行う熱交換手段を備えたものから構成される。
この構成により、筐体内がシール部材により気密化されることで筐体内が高温になり、筐体内に熱がこもった場合であっても、熱交換手段により熱を筐体外に排出することができ、自動原稿搬送装置を構成する機器が高温になるのを回避することができる。
【００１３】
また、本発明の自動原稿搬送装置は、前記筐体の少なくとも一部を放熱鋼板から構成したものから構成される。
この構成により、筐体内の熱を筐体外に効率良く排出することができ、自動原稿搬送装置を構成する機器が高温になるのをより一層回避することができる。
【００１４】
また、本発明の自動原稿搬送装置は、除湿手段を有するものから構成される。
この構成により、結露によって自動原稿搬送装置を構成する機器が故障してしまうのを防止することができるとともに、原稿の給紙時に調湿された原稿間の密着力が低減して原稿が重送されてしまうのを防止することができる。
【００１５】
また、本発明の自動原稿搬送装置は、前記除湿手段がゼオライトフィルターからなるものから構成される。
この構成により、ゼオライトフィルターを用いることにより、高い除湿効果を得ることができる。
【００１６】
また、本発明の自動原稿搬送装置の前記カバーは、前記給紙口および給紙トレイと、前記排紙口および排紙トレイとにおいて独立して設けられるものから構成される。
この構成により、遮蔽による静音化を図ることができるとともに、原稿の搬送中であっても、原稿の補充および排紙原稿の取出しを独立して行うことができ、ユーザによる作業効率を向上させることができる。
【００１７】
また、本発明の自動原稿搬送装置は、前記カバーが透明部材からなるものから構成される。
この構成により、カバーを通して原稿の給紙状態および排紙状態を確認することができるので、次工程作業等に速やかに移行することができるとともに、原稿のジャムや機器の故障が発生した場合でも速やかに対処することができる。
【００１８】
また、本発明の自動原稿搬送装置は、前記カバーを開閉するときの補助動作を行う補助手段を有するものから構成される。
この構成により、ユーザによりカバーの開閉を少ない労力で行うことができる。
【００１９】
また、本発明の自動原稿搬送装置は、前記カバーを自動的に開閉する自動開閉手段を備えたものから構成される。
この構成により、ユーザによるカバーの開閉を負荷無しで行うことができ、原稿のセットと取出し性能を向上させることができる。
【００２０】
また、本発明の自動原稿搬送装置は、認証手段を有し、前記認証手段によって認証を行った後、前記カバーを開放するものから構成される。
この構成により、認証を行わなければカバーを開放することができないので、第三者に見られたくない原稿の搬送をカバー内で行った後にカバーを開放して原稿を取り出すことができ、原稿の安全性を確保することができる。
【００２１】
また、本発明の画像読取装置は、上述した自動原稿搬送装置を搭載するとともに原稿を読取る画像読取手段を備えたものから構成される。
この構成により、自動原稿搬送装置の筐体内を気密状態に維持することができ、筐体内で発生する騒音が筐体外に漏出するのを防止して環境負荷を低減することができる。
【００２２】
また、本発明の画像読取装置は、前記自動原稿搬送装置との連結部分にシール部材が設けられたものから構成される。
この構成により、気密状態に維持された自動原稿搬送装置と画像読取装置との連結部分の気密状態を確保することができるので、自動原稿搬送装置と画像読取装置との連結部分で発生する騒音が外部に漏出するのを防止して環境負荷を低減することができる。
【００２３】
また、本発明の画像形成装置は、上述した画像読取装置を搭載するとともに、記録媒体に画像を形成する画像形成手段を備えたものから構成される。
この構成により、自動原稿搬送装置の筐体内を気密状態に維持することができ、筐体内で発生する騒音が筐体外に漏出するのを防止して環境負荷を低減することができる。
【発明の効果】
【００２４】
以上説明したように、本発明は、筐体内で発生する騒音が筐体外に漏出するのを防止して環境負荷を低減することができる自動原稿搬送装置、画像読取装置および画像形成装置を提供することができる。
【発明を実施するための最良の形態】
【００２５】
以下、本発明の実施の形態について、図面を用いて説明する。
図１〜図３は本発明に係る自動原稿搬送装置、画像読取装置および画像形成装置の第１の実施の形態を示す図である。なお、本発明は、画像読取装置として、スキャナー装置、ファクシミリ装置等に適用可能であり、画像形成装置として、複写機、レーザープリンタ、マルチファンクションプリンタ、インクジェットプリンタ、印刷機等に適用可能である。本実施の形態では、画像形成装置として複写機を例に説明を行う。
【００２６】
まず、構成を説明する。図１、図２において、複写機１の本体１ａの上面にはコンタクトガラス２が設けられており、このコンタクトガラス２に隣接する本体１ａの上面にはコンタクトガラス２よりも小面積のスリットガラス３が設けられている。
【００２７】
また、本体１ａの上部には自動原稿搬送装置としてのＡＤＦ４が設けられており、このＡＤＦ４は図示しないヒンジ機構を介してコンタクトガラス２およびスリットガラス３を開放および閉塞するように開閉自在になっている。
【００２８】
また、コンタクトガラス２とスリットガラス３の下方には画像読取手段を構成する走査光学系としての露光ランプ２９ａ、ミラー２９ｂ〜２９ｄ、レンズ２９ｅおよびＣＣＤ等のイメージセンサ２９ｆが設けられている。なお、この画像読取手段とＡＤＦ４によって画像読取装置が構成されており、この画像読取装置としてはスキャナー装置を構成するものである。
【００２９】
また、露光ランプ２９ａおよびミラー２９ｂ〜２９ｄは、コンタクトガラス２に載置された原稿を読取る際には、コンタクトガラス２の下方で図１中、左右方向に移動し、また、スリットガラス３上で原稿を読取る際には、スリットガラス３の下方で停止するようになっており、露光ランプ２９ａによって読取られた画情報はミラー２９ｂ、２９ｃ、２９ｄで反射された後、レンズ２９ｅで集光されてイメージセンサ２９ｆに結像される。このイメージセンサ２９ｆによって読み込まれた画情報は光電変換された後、図示しない画像処理部によって画像処理が施され、後述する感光体ドラム上に出力される。
【００３０】
また、ＡＤＦ４の上部には給紙トレイ５が設けられており、この給紙トレイ５には複数の原稿からなる原稿束Ｐ１が載置されるようになっている。この給紙トレイ５に載置された原稿束Ｐ１はこの原稿束Ｐ１に当接・離隔可能なピックアップローラ６によって給紙された後、時計回転方向に周回移動する給紙ベルト７および時計回転方向に回転するリバースローラ８によって最上位に位置する原稿が分離されるようになっている。
【００３１】
給紙ベルト７およびリバースローラ８によって分離された原稿は搬送駆動ローラ対９によって反転経路１０に沿って反転された後、レジストローラ対１１によって原稿の読取速度と同期を取られながらスリットガラス３上に搬送されるようになっている。
【００３２】
このとき、読取りが終了した原稿は搬送ローラ１２によってスリットガラス３から搬出されるようになっており、両面原稿の場合には、露光ランプ２９ａの読取面と反対側の原稿の読取面側に設けられたイメージセンサ３０によって原稿が読取られるようになっている。
このイメージセンサ３０によって読み込まれた画情報は光電変換された後、図示しない画像処理部によって画像処理が施され、後述する感光体ドラム上に出力される。
【００３３】
また、読取りの終了した原稿は排紙ローラ対１３によって排紙トレイ１４上に排紙される。この排紙トレイ１４は給紙トレイ５の下方に設けられており、このように給紙トレイ５と排紙トレイ１４が２層構造に構成されることにより、ＡＤＦ４が小型化される。
【００３４】
本実施の形態では、上述したピックアップローラ６、給紙ベルト７、リバースローラ８、搬送ローラ対９、レジストローラ対１１、搬送ローラ１２、排紙ローラ対１３がＡＤＦ４の本体（筐体）４ａ内に設けられている。また、給紙トレイ５が本体４ａから突出しており、排紙トレイ１４は本体４ａの一部から構成されている。
【００３５】
一方、複写機１の本体１ａ内には画像形成手段を構成する感光体ドラム１５、現像器１６、帯電器１７、クリーニング部１８、転写部１９、定着装置２０が設けられている。
【００３６】
帯電器１７は感光体ドラム１５の表面を帯電するようになっており、この感光体ドラム１５上には画像データに書き込む書き込み部２１により静電潜像が形成される。
【００３７】
現像器１６は感光体ドラム１５上の静電潜像にトナーを付着して可視像化するようになっており、このトナー像は、記録紙に転写される。具体的には、感光体ドラム１５の下方には複数の記録紙カセット２２ａ〜２２ｅが設けられており、この記録紙カセット２２ａ〜２２ｅに収納された記録紙はローラ対２３ａ〜２３ｅに案内されることによって搬送経路に沿って搬送される。
【００３８】
この記録紙はレジストローラ対２４によりトナー像の形成と同期が取られた後、感光体ドラム１５と転写部１９間に搬送される。転写部１９は、感光体ドラム１５上のトナー像を記録紙に転写するようになっており、クリーニング部１８は感光体ドラム１５上に付着する不要なトナーを感光体ドラム１５上から除去する。定着装置２０は、加熱ローラ２０ａおよび加圧ローラ２０ｂから構成されており、トナー像が転写された記録紙にトナー像に加圧定着するようになっている。
【００３９】
また、ＡＤＦ４の本体４ａには給紙口２５および排紙口２６が設けられており、この給紙口２５および排紙口２６にはそれぞれピックアップローラ（搬送部材）６および排紙ローラ対（搬送部材）１３が設けられている。
【００４０】
また、給紙口２５とピックアップローラ６の間の隙間にはシール部材２７が設けられており、給紙口２５とピックアップローラ６の間の隙間はシール部材２７によって密閉されている（図３（ａ）参照）。
【００４１】
また、排紙口２６と排紙ローラ対１３の間の隙間にはシール部材２８が設けられており、排紙口２６と排紙ローラ対１３の間の隙間はシール部材２８によって密閉されている（図３（ｂ）参照）。
【００４２】
このシール部材２７、２８としては、ゴム、ウレタンといった樹脂製品や遮音材といった比重の高いものまでの幅広い材料を用いることが可能であり、これらの複合材料であっても良い。
【００４３】
また、図示していないが、給紙口２５および排紙口２６以外に本体４ａに設けられた通気孔にもシール部材が設けられており、この通気孔もシール部材によって密閉されている。
【００４４】
また、本体４ａには図示しない外装カバーが設けられており、この外装カバーは本体４ａに対して開閉自在に設けられ、搬送経路上で原稿のジャムが発生した場合に、外装カバーを開放してジャム原稿を除去することができるようになっている。また、この外装カバーと本体４ａが接触する稜線または接触面にシール部材が設けられており、本体４ａが外装カバーによって閉塞されたときに、シール部材によって本体４ａと外装カバーの間が密閉される。
【００４５】
本実施の形態では、給紙トレイ５上の原稿束Ｐ１の給紙動作が開始されると、原稿束Ｐはピックアップローラ６により送り出され、給紙ベルト７およびリバースローラ８によって原稿束Ｐ１から最上位に位置する原稿が分離された後、搬送ローラ対９およびレジストローラ対１１によって反転経路１０上を反転しながらスリットガラス３に向かって搬送される。
【００４６】
次いで、この原稿の一面にはスリットガラス３の下方で停止している露光ランプ２９ａによって光が照射されるようになっており、原稿から反射された光はミラー２９ｂ、２９ｃ、２９ｄで反射された後、レンズ２９ｅで集光されてイメージセンサ２９ｆに結像され、このイメージセンサ２９ｆによって読み込まれた画情報は光電変換された後、画像処理部によって画像処理が施され、感光体ドラム１５上に出力される。
【００４７】
また、両面原稿の場合には原稿の他面がイメージセンサ３０で読取られ、イメージセンサ３０によって読み込まれた画情報は光電変換された後、画像処理部によって画像処理が施され、感光体ドラム１５上に出力される。次いで、読取りが終了した原稿は搬送ローラ１２および排紙ローラ対１３によって排紙トレイ１４上に排紙される。
【００４８】
一方、原稿の搬送中には、本体４ａ内で「ウィーン」という高周波な制御音、「ガラガラ」といった排紙ローラ対１３等の幾つかのローラ等の駆動音、「シュルシュル」という原稿同士、あるいは原稿と反転経路１０等との摺動音が発生する。
【００４９】
本実施の形態では、給紙口２５とピックアップローラ６の間の隙間にシール部材２７が設けられているとともに、排紙口２６と排紙ローラ対１３の間の隙間にシール部材２８が設けられており、さらに、本体４ａに設けられた通気孔および外装カバーと本体４ａの間にシール部材が設けられているため、本体４ａ内をシール部材により密閉することができ、本体４ａ内で発生する騒音が本体４ａ外に漏出するのを防止して環境負荷を低減することができる。
【００５０】
図４は本発明に係る自動原稿搬送装置、画像読取装置および画像形成装置の第２の実施の形態を示す図であり、第１の実施の形態と同様の構成には同一番号を付して説明を省略する。
【００５１】
図４において、ＡＤＦ４の本体４ａにはカバー３１が設けられており、このカバー３１は本体４ａの右側に設けられた回動軸３２を中心にして回動することにより、給紙トレイ５、排紙トレイ１４、給紙口２５および排紙口２６を覆うようになっている。
【００５２】
本実施の形態では、読取りを行う原稿を給紙トレイ５に載置するときや、読取りが終了した原稿を排紙トレイ１４から取り出すときにカバー３１を開放し、読取り中にはカバー３１を閉じる。
【００５３】
このようにすれば、ＡＤＦ４の本体４ａが密閉されていることからＡＤＦ４内の騒音が漏出するのを防止することができることに加えて、給紙時にピックアップローラ６により搬送される最上位に位置する原稿がその下の原稿と摺動するときの騒音や、排紙ローラ対１３によって排紙される原稿が既に排紙トレイ１４に積載されている原稿と摺動するときの騒音を遮断して、これらの騒音が本体４ａ外に漏洩するのを防止することができる。
【００５４】
なお、本実施の形態では、カバー３１が回動軸３２を中心に開閉するようになっているが、これに限らず、例えば、カバー３１を本体４ａから完全に外せる構造にしても良く、カバー３１の一部が開閉する構造であっても良い。
【００５５】
また、カバー３１を透明部材から構成しても良い。このようにすれば、カバー３１を通して原稿の給紙状態および排紙状態を確認することができるので、次工程作業等に速やかに移行することができるとともに、原稿のジャムや機器の故障が発生した場合でも速やかに対処することができる。
【００５６】
また、本実施の形態では、カバー３１を開閉するときの補助動作を行う補助手段を設けても良い。この補助手段としては、回動軸３２付近にカバー３１を開放する方向に付勢するばねを設けることでカバー３１を開けるときの動作を補助するようにしたり、回動軸３２付近にカバー３１を開けるときの動作を補助するダンパー（ショックアブソーバー）を設けるようにしても良い。このようにすれば、カバー３１の開閉時のユーザの開閉を少ない労力で行うことができる。
【００５７】
また、カバー３１を自動的に開閉する自動開閉手段を設けるようにしても良い。この自動開閉手段としては、例えば、スイッチと、このスイッチの操作により作動するモータおよび減速機等とから構成するようにすれば良い。このようにすれば、ユーザによるカバー３１の開閉を負荷無しで行うことができ、原稿のセットと取出し性能を向上させることができる。
【００５８】
また、ＩＤ認証、指紋や虹彩等の身体的な特徴を認証する認証手段を設け、この認証手段によって認証を行った後、カバー３１を開放するようにしても良い。このようにすれば、認証を行わなければカバー３１を開放することができないので、第三者に見られたくない原稿の搬送をカバー３１内で行った後にカバー３１を開放して原稿を取り出すことができ、原稿の安全性を確保することができる。
【００５９】
図５は本発明に係る自動原稿搬送装置、画像読取装置および画像形成装置の第３の実施の形態を示す図であり、第２の実施の形態と同様の構成には同一番号を付して説明を省略する。
【００６０】
図５において、ＡＤＦ４の本体４ａにはカバー４１が設けられており、このカバー４１は本体４ａの右側に設けられた回動軸４２を中心にして回動することにより、排紙トレイ１４および排紙口２６を覆うようになっている。
【００６１】
また、ＡＤＦ４の本体４ａにはカバー４３が設けられており、このカバー４３は本体４ａの左側に設けられた回動軸４４を中心にして回動することにより、給紙トレイ５および給紙口２５を覆うようになっている。
【００６２】
本実施の形態では、カバー４１、４３によって給紙トレイ５、排紙トレイ１４、給紙口２５および排紙口２６を覆うことができるので、第２の実施の形態と同様に遮蔽による静音化を図ることができることに加えて、カバー４１、４３を別々に開放することにより原稿の搬送中であっても、原稿の補充および排紙原稿の取出しを独立して行うことができ、ユーザによる作業効率を向上させることができる。
【００６３】
図６は本発明に係る自動原稿搬送装置、画像読取装置および画像形成装置の第４の実施の形態を示す図であり、第２の実施の形態と同様の構成には同一番号を付して説明を省略する。
【００６４】
図６において、本体４ａの右端部に放熱フィン５１が設けられており、この放熱フィン５１にはヒートパイプ５２の一端部が取付けられている。このヒートパイプ５２の他端部はプレート５３に取付けられており、このプレート５３は排紙トレイ１４の下面に設けられている。なお、放熱フィン５１、ヒートパイプ５２およびプレート５３は熱交換手段を構成している。
【００６５】
本実施の形態では、第２の実施の形態の効果に加え、原稿が搬送されているときに温度の高い露光ランプ２９ａやイメージセンサ３０に読取られるとともに、搬送ローラ対９等の各種ローラや反転経路１０等と接触することで熱量を授受して排紙トレイ１４上に排紙される原稿がカールを引き起こす場合があっても、この原稿の熱がプレート５３からヒートパイプ５２を介して放熱フィン５１に移動することにより、放熱フィン５１から外気に放出されるため、原稿の温度が低下して上記カールが発生するのを回避することができる。
【００６６】
また、本実施の形態では、原稿自動送り装置の外装を放熱鋼板にし、ヒートパイプ５２に繋げるようにしても良い。このようにすれば、大きい放熱面積と高い熱伝達係数のヒートシンクを構成することができ、原稿の温度を効率良く下げることができる。
【００６７】
なお、本実施の形態では、熱交換手段としてヒートパイプ５２を用いたが、他の方式であっても構わない。例えば、同じヒートパイプであるが、自励式ヒートパイプを利用することで、設置方向の自由度を高めた熱交換手段を達成しても良い。また、液冷方式を採用すれば、熱容量を高くすることができるとともに、流速を高めることにより高い熱輸送量が達成して原稿の低温化を効率良く行うことができる。
【００６８】
また、プレート５３は熱伝導率の高い材料のものが望ましい。例えば、アルミ自体でも熱伝導率は良いが、銅にできれば２倍もの高い熱伝導率が期待でき、速やかな温度低下が期待できる。
【００６９】
また、本実施の形態では、プレート５３を排紙トレイ１４の下面に設けて原稿の温度を下げるようにしているが、これに限らず、ＡＤＦ４を構成する機器の中で高温の機器（イメージセンサ３０等）の近傍にプレート５３を設けて熱交換を行うようにしても良い。このようにすれば、機器が高温になるのを防止することができる。
【００７０】
図７は本発明に係る自動原稿搬送装置、画像読取装置および画像形成装置の第５の実施の形態を示す図であり、第２の実施の形態と同様の構成には同一番号を付して説明を省略する。
【００７１】
図７において、カバー３１の内側には除湿手段としてのメンテナンスフリーなゼオライトフィルター６１が設けられている。本実施の形態では、このゼオライトフィルター６１によってカバー３１内の環境湿度を低減することができ、給紙時に、原稿が高湿度により原稿間が密着して連送りするのを回避することができる。なお、ゼオライトフィルター６１の設置位置はカバー３１の内側に限らず、本体４ａでも良い。
【００７２】
図８は本発明に係る自動原稿搬送装置、画像読取装置および画像形成装置の第６の実施の形態を示す図であり、第２の実施の形態と同様の構成には同一番号を付して説明を省略する。
【００７３】
図６において、ＡＤＦ４は複写機１の本体１ａの上部に対して開閉自在になっており、このＡＤＦ４と本体１ａの上部の間、すなわち、ＡＤＦ４と本体１ａの連結部分にはシール部材７１が設けられている。このため、ＡＤＦ４が本体１ａの上部を閉じたときに、ＡＤＦ４と本体１ａの上部はシール部材７１によって密閉される。
【００７４】
このため、本実施の形態では、ＡＤＦ４の密閉による騒音の漏出に加えて、ＡＤＦ４と複写機１の連結部分で騒音が外部に漏出するのを防止して環境負荷を低減することができる。
【産業上の利用可能性】
【００７５】
以上のように、本発明に係る自動原稿搬送装置、画像読取装置および画像形成装置は、筐体内で発生する騒音が筐体外に漏出するのを防止して環境負荷を低減することができるという効果を有し、自動原稿搬送装置の筐体から騒音が漏出するのを防止するようにした自動原稿搬送装置、画像読取装置および画像形成装置等として有用である。
【図面の簡単な説明】
【００７６】
【図１】本発明に係る自動原稿搬送装置、画像読取装置および画像形成装置の第１の実施の形態を示す図であり、画像形成装置としての複写機の概略構成図である。
【図２】第１の実施の形態の自動原稿搬送装置の概略構成図である。
【図３】（ａ）は図２のＡ方向矢視図、（ｂ）は図２のＢ方向矢視図である。
【図４】本発明に係る自動原稿搬送装置、画像読取装置および画像形成装置の第２の実施の形態を示す図であり、画像形成装置としての複写機の概略構成図である。
【図５】本発明に係る自動原稿搬送装置、画像読取装置および画像形成装置の第３の実施の形態を示す図であり、画像形成装置としての複写機の概略構成図である。
【図６】本発明に係る自動原稿搬送装置、画像読取装置および画像形成装置の第４の実施の形態を示す図であり、画像形成装置としての複写機の概略構成図である。
【図７】本発明に係る自動原稿搬送装置、画像読取装置および画像形成装置の第５の実施の形態を示す図であり、画像形成装置としての複写機の概略構成図である。
【図８】本発明に係る自動原稿搬送装置、画像読取装置および画像形成装置の第６の実施の形態を示す図であり、画像形成装置としての複写機の概略構成図である。
【符号の説明】
【００７７】
１  複写機（画像形成装置）
４  ＡＤＦ
４ａ  本体（筐体）
５  給紙トレイ
６  ピックアップローラ（搬送部材）
１３  排紙ローラ対（搬送部材）
１５  感光体ドラム（画像形成手段）
１６  現像器（画像形成手段）
１７  帯電器（画像形成手段）
１８  クリーニング部（画像形成手段）
１９  転写部（画像形成手段）
２０  定着装置
２５  給紙口
２６  排紙口
２７、２８  シール部材
２９ａ  露光ランプ（画像読取手段）
２９ｂ〜２９ｄ  ミラー（画像読取手段）
２９ｅ  レンズ（画像読取手段）
２９ｆ  イメージセンサ（画像読取手段）
３１、４１、４３  カバー
５１  放熱フィン（熱交換手段）
５２  ヒートパイプ（熱交換手段）
５３  プレート（熱交換手段）
６１  ゼオライトフィルター
【図１】
2006193289.tif 000003
【図２】
2006193289.tif 000004
【図３】
2006193289.tif 000005
【図４】
2006193289.tif 000006
【図５】
2006193289.tif 000007
【図６】
2006193289.tif 000008
【図７】
2006193289.tif 000009
【図８】
2006193289.tif 000010